(57)【要約】【課題】吸引脱水による脱水効果を上げ、振動、騒音の発生しやすい遠心力脱水に代わる脱水方法の洗濯機を提供する。【解決手段】洗濯兼脱水槽１と、洗濯兼脱水槽１の扉２と、洗濯兼脱水槽１の下部に設けた脱水開口３と、洗濯物６と扉２間に位置する内蓋４Ａと、脱水開口３を通して洗濯物６周りを排気する吸引手段５を備え、内蓋４Ａは絞り構造の開閉部１１を有して内蓋４Ａで仕切られた洗濯兼脱水槽１内の両空間を密閉可能とし、且つ内蓋４Ａは洗濯物６と扉２間を移動可能とし、吸引手段５を機能することにより内蓋４Ａが洗濯物６に密着し且つ洗濯物６周りを排気排水するので、洗濯物６の水分が洗濯兼脱水槽１の脱水開口３部分から吸引される時、内蓋４Ａで通気が遮断されているため、洗濯物６の水分が主に吸引脱水され、吸引劣化がなく、吸引脱水が効果的に行われる。【選択図】図１
2007000387.tif 000002
【特許請求の範囲】
【請求項１】
洗濯物を洗濯および脱水する洗濯兼脱水槽と、洗濯物を出し入れする前記洗濯兼脱水槽の扉と、前記洗濯兼脱水槽の下部に洗濯物を受ける脱水面と、前記脱水面に設けた脱水開口と、洗濯物と前記扉間に位置する内蓋と、前記脱水開口を通して洗濯物周りを排気する吸引手段を備え、前記内蓋は絞り構造の開閉部を有して前記内蓋で仕切られた前記洗濯兼脱水槽内の両空間を密閉可能な構成とし、且つ前記内蓋は洗濯物と前記扉間を移動可能とし、前記吸引手段を機能することにより前記内蓋が洗濯物に密着し且つ洗濯物周りを排気排水する構成とした洗濯機。
【請求項２】
内蓋は洗濯兼脱水槽とは着脱自在とし、洗濯物の形状に対し密着可能な柔軟構造とした請求項１に記載の洗濯機。
【請求項３】
洗濯兼脱水槽の底側の洗濯物を受ける脱水面は、前記洗濯兼脱水槽の扉方向に可動可能な構成とし、かつ前記洗濯兼脱水槽の内蓋を設けない構成とした請求項１に記載の洗濯機。
【請求項４】
洗濯兼脱水槽の外周に洗濯液又は洗浄水を前記洗濯兼脱水槽の内部に流入する流入口と排出する排出口を構成し、洗濯液又は洗浄水を前記洗濯兼脱水槽内に送り込む送水手段を有して、洗濯液又は洗浄水を前記洗濯兼脱水槽内に循環させる構成とした請求項１〜３のいずれか１項に記載の洗濯機。
【請求項５】
洗濯兼脱水槽の底側の洗濯物を受ける脱水面は回転可能とし、且つ前記脱水面を回転駆動する回転手段を設け、前記洗濯兼脱水槽及び脱水面の回転軸を略水平又は傾斜させた構成とした請求項１〜４のいずれか１項に記載の洗濯機。
【請求項６】
洗濯物周りを排気する吸引手段の排気の一部または全てを、洗濯兼脱水槽内の前記内蓋と扉間に送風する循環構成とした請求項３を除く請求項１〜５のいずれか１項に記載の洗濯機。
【請求項７】
洗濯兼脱水槽の底側の洗濯物を受ける脱水面下部より脱水開口を通して洗濯物に向け通気し、内蓋による密閉のない状態で前記通気を前記洗濯兼脱水槽から送風手段に向け連通する通気回路を構成し、前記送風手段で再び前記脱水面下部へ送風する構成で、かつ前記循環送風路にヒータを設けて洗濯物の乾燥手段とする構成とした請求項１〜６のいずれか１項に記載の洗濯機。
【発明の詳細な説明】
【技術分野】
【０００１】
本発明は、回転駆動されたドラムの高速回転による遠心力によらないで、洗濯物の脱水を行う洗濯機に関するものである。
【背景技術】
【０００２】
従来の洗濯機の洗濯物を脱水する方式は、洗濯やすすぎ作用後に洗濯兼脱水槽を高速回転せしめ、その遠心力にて洗濯物から水分を分離させるいわゆる遠心力脱水方式が、第１の従来例の一般的な方式として知られている（例えば、特許文献１参照）。
【０００３】
また第２の従来例として、上記遠心力脱水によらない方式として、図６に示すような吸引体を通して吸引脱水する方式の洗濯機が提案されている（例えば、特許文献２参照）。
【０００４】
この第２の従来例の吸引脱水方式の洗濯機を図６を用いて説明する。図６において、水槽１０３の水平軸１１２周りに回転自在に内装支持された複数の通水孔１０７を有するドラム１０２に対して、ドラム１０２の外周壁を覆ってドラム１０２の通水孔１０７と連通する吸引体１０８と、ドラム１０２の内周壁に張り付いた洗濯物の水分を吸引体１０８を通して吸引して脱水する吸引装置１０９とが設けられたものである。
【特許文献１】特開平１０−２０１９８８号公報
【特許文献２】特開平７−２２２８９４号公報
【発明の開示】
【発明が解決しようとする課題】
【０００５】
しかしながら、第１の従来例の遠心力脱水方式の洗濯機では、洗濯物がドラム内に均等に分布せず偏心回転を生じるため、ドラムを高速回転させる際、機器に振動や騒音を発生させてしまい、使用者に不快感を与えてしまう課題があった。
【０００６】
一方、吸引体を通じて脱水を行う前記第２の従来例の洗濯機の構成を、図６にて説明すると、洗濯物に含まれる水分をドラム１０２に設けられた通水孔１０７からドラム１０２の外側に吸引体１０８を通して吸い出す方式であるため、通水孔１０７がドラム１０２内の洗濯物に対し位置ズレする等で、効果的に脱水されないことが想定される。その対策として吸引体１０８からの吸引圧力を検出する圧力センサーや、吸引脱水量の脱水センサーを設け、その情報に基づく通水孔１０７の吸引面積調整装置を設ける等の処置をして洗濯物の脱水効果を損なわないようにしている。
【０００７】
しかし、この方式ではドラム１０２内の洗濯物に対し、通水孔１０７を通してのみの脱水であり、水の付着した洗濯物に通気部分が増えてくると、通気部分が増えれば増える程吸引圧が低下するので、洗濯物に付着する水分は吸引脱水されにくくなる。もちろん洗濯物自身のみならず、洗濯物とドラム１０２との隙間からの通気分も洗濯物の水分の脱水能力低下原因となるという課題を有していた。また、複雑な検知システムや各種のセンサーを必要とするなどコスト的にも、技術的にも、実用化するには解決されなければならない多くの課題があった。
【０００８】
本発明は、上記従来の課題を解決するもので、吸引脱水による脱水効果を上げ、振動、騒音の発生しやすい遠心力脱水に代わる脱水方法の洗濯機を提供することを目的とする。
【課題を解決するための手段】
【０００９】
前記従来の課題を解決するために、本発明の洗濯機は、振動や騒音を生じる遠心力脱水によらない方式として、洗濯物を洗濯および脱水する洗濯兼脱水槽と、洗濯物を出し入れする前記洗濯兼脱水槽の扉と、前記洗濯兼脱水槽の下部に設けた洗濯物を受ける脱水面と、前記脱水面に設けた脱水開口と、洗濯物と前記扉間に位置する内蓋と、前記脱水開口を通して洗濯物周りを排気する吸引手段とを備え、前記内蓋は絞り構造の開閉部を有して前記内蓋で仕切られた前記洗濯兼脱水槽内の両空間を密閉可能な構成とし、且つ前記内蓋は洗濯物と前記扉間を移動可能とし、前記吸引手段を機能させることにより前記内蓋が洗濯物に密着し且つ洗濯物周りを排気排水する構成としたものである。
【００１０】
これによって、洗濯物の水分が前記洗濯兼脱水槽の脱水開口部から吸引される時、前記内蓋で通気が遮断されているため洗濯物の水分が主に吸引脱水されるので、従来例にて生じていた洗濯兼脱水槽内の空気も含め吸引されることによる吸引劣化という不具合が解決される優れた洗濯機を実現できる。
【発明の効果】
【００１１】
本発明の洗濯機は、吸引脱水に於いて洗濯物の上に配設した通気性のない内蓋等によって、洗濯物を通過する脱水以外の通気部分が減少するので、吸引のエネルギーロスを減少せしめ、その分洗濯物の脱水効果を上げることができる。従って遠心力脱水に頼らなくてすむ構成を確実に実現できるため、振動、騒音という課題を解決した使い勝手の良い洗濯機を提供できる。
【発明を実施するための最良の形態】
【００１２】
第１の発明は、洗濯物を洗濯および脱水する洗濯兼脱水槽と、洗濯物を出し入れする前記洗濯兼脱水槽の扉と、前記洗濯兼脱水槽の下部に洗濯物を受ける脱水面と、前記脱水面に設けた脱水開口と、洗濯物と前記扉間に位置する内蓋と、前記脱水開口を通して洗濯物周りを排気する吸引手段を備え、前記内蓋は絞り構造の開閉部を有して前記内蓋で仕切られた前記洗濯兼脱水槽内の両空間を密閉可能な構成とし、且つ前記内蓋は洗濯物と前記扉間を移動可能とし、前記吸引手段を機能することにより前記内蓋が洗濯物に密着し且つ洗濯物周りを排気排水する構成としたもので、洗濯物の吸引脱水がより効果的に行われ、遠心力脱水に伴う騒音、振動のない洗濯機を実現することができる。
【００１３】
第２の発明は、特に、第１の発明の内蓋は洗濯兼脱水槽とは着脱自在とし、洗濯物の形状に対し密着可能な柔軟構造としたことにより機構部分がシンプル化し信頼性が高く又洗濯物に内蓋の密着度がより向上し脱水がより効果的に行われる。
【００１４】
第３の発明は、特に、第１の発明の洗濯兼脱水槽の底側の洗濯物を受ける脱水面は、前記洗濯兼脱水槽の扉方向に可動可能な構成とし、かつ前記洗濯兼脱水槽の内蓋を設けない構成としたことにより、洗濯兼脱水槽の内蓋を構成しないで吸引脱水を作用させるため、内蓋が存在するという構造上の複雑さを解消することができる。
【００１５】
第４の発明は、特に、第１〜３のいずれか１つの発明の洗濯兼脱水槽の外周に洗濯液又は洗浄水を前記洗濯兼脱水槽の内部に流入する流入口と排出する排出口を構成し、洗濯液又は洗浄水を前記洗濯兼脱水槽内に送り込む送水手段を有して、洗濯液又は洗浄水を前記洗濯兼脱水槽内に循環させる構成としたことにより洗濯、洗浄、脱水の作用を洗濯兼脱水槽などを機械的な回転をさせることなく実現できる。
【００１６】
第５の発明は、特に、第１〜４のいずれか１つの発明の洗濯兼脱水槽の底側の洗濯物を受ける脱水面は回転可能とし、且つ前記脱水面を回転駆動する回転手段を設け、前記洗濯兼脱水槽及び脱水面の回転軸を略水平又は傾斜させた構成としたことにより洗濯物を脱水面との摩擦力にて脱水開口部に対し、転がすことができ脱水がより効果的にできる。また扉を洗濯機前面に構成できるため、洗濯物の投入や取り出しが容易になる。
【００１７】
第６の発明は、特に、第１〜５のいずれか１つの発明の洗濯物周りを排気する吸引手段の排気の一部または全てを、洗濯兼脱水槽内の前記内蓋と扉間に送風する循環構成としたことにより、内蓋を押圧せしめて洗濯物に対し、より圧縮するため脱水効果を上げることができる。
【００１８】
第７の発明は、特に、第１〜６のいずれか１つの発明の洗濯兼脱水槽の底側の洗濯物を受ける脱水面下部より脱水開口を通して洗濯物に向け通気し、内蓋による密閉のない状態で前記通気を前記洗濯兼脱水槽から送風手段に向け連通する通気回路を構成し、前記送風手段で再び前記脱水面下部へ送風する構成で、かつ前記循環送風路にヒータを設けて洗濯物の乾燥手段とする構成としたことにより洗濯物の乾燥機能を付けることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における脱水機能を有する洗濯機の要部断面図を示すものである。
【００２１】
図１において、洗濯機の本体１２の内部に洗濯兼脱水槽１を配置し、洗濯兼脱水槽１の上側開口部に洗濯物６を出し入れする扉２がヒンジ１３を軸として開閉自在に回転支持される。ヒンジ１３の反対側は扉２にハンドル１６を構成し、このハンドル１６の操作により出没自在のキー１５が本体１２側のフック１４に係止または離脱をする。洗濯兼脱水槽１の下方には洗濯物６をうける脱水面７を構成し、前記脱水面７の一部に洗濯物６の水分を通過させる複数個の小孔またはフィルター等からなる脱水開口３を形成する。
【００２２】
脱水面７の上には洗濯物６が支持され、更にその上に内蓋４Ａが位置する。図で内蓋４Ａが２箇所に図示されているが、内蓋４Ａは１つの部品であり２通りの状態を示したものである。下側の図示は脱水行程時の位置で断面を実線にて表し、上側の図示は洗濯またはすすぎ行程時あるいは洗濯物６の投入時の状態での位置で断面点線にて表している。この内蓋４Ａは写真機の虹彩（こうさい）絞り（アイリス絞り）の様な開閉動作をする構造の開閉部１１を有しており、内蓋４Ａの中心部から外方に向かって開口が開く機能を有する。その機能は洗濯機動作中の手動または自動的な操作によって前記開口の開閉動作がなされるが、今回その詳細説明は本発明に直接関連しないので省略する。
【００２３】
その開閉部１１の開閉状態は少なくとも脱水行程時は閉じる構成としている。また上下位置についても少なくとも脱水時は下方の洗濯物６に密着状態の位置にある。
【００２４】
洗濯兼脱水槽１の最底部の洗濯兼脱水槽底部２１は洗濯水や脱水の受け部となっており、脱水後の水は排出口９から流体ポンプ等の送水手段１０と給排水切替弁１７を通って排水開口１９から本体１２外に排出される。前記給排水切替弁１７は機外の給水設備と接続する給水通路２３及び機内で洗濯兼脱水槽１へ流入口８に配管される送水通路２２とに接続している。また吸引手段５は洗濯兼脱水槽１の外方に設けた切替弁１８と連通して通路２２の中間部分に配し、気水ポンプ等で構成される。
【００２５】
脱水行程では洗濯兼脱水槽底部２１の空気が吸引手段５により切替弁１８を通して吸引され通路２２を通って本体１２の外へ排出される。洗濯兼脱水槽１の側壁には、洗濯液やすすぎ用の水が流入する流入口８を１個又は複数個設ける。洗濯、すすぎ行程では、内蓋４Ａは少なくとも上記流入口８の上側に位置させる。洗濯兼脱水槽１内の洗濯液やすすぎ水は排出口９から送水手段１０により加圧され、給排水切替弁１７で切替えて送水通路２０を通って前記流入口８につながり循環する構造としている。
【００２６】
以上のように構成された洗濯機について、以下その動作、作用を説明する。
【００２７】
洗濯物６が洗濯、すすぎ、脱水される各行程に従い説明する。まず、扉２を開けると内蓋４Ａの絞り構造の開閉部１１も開き、洗濯物６が洗濯兼脱水槽１内に投入され、該洗濯物６は脱水面７の上面に支持される。内蓋４Ａは洗濯兼脱水槽１の上部に位置したままである。洗濯兼脱水槽１に水が機外より給水通路２３より給排水切替弁１７と送水通路２０を通って洗濯兼脱水槽１の側壁の流入口８より注水される。洗濯兼脱水槽１に適度に水が溜まると、給排水切替弁１７は給水通路２３からの送水を止め、送水手段１０と通路２０とを通過可能にする。
【００２８】
次に、洗剤が洗濯兼脱水槽１に投入され（洗剤投入手段の説明、図解は省略）送水手段１０が機能開始し、洗濯兼脱水槽１の流入口８から洗濯液が洗濯物６に対し噴出し、その噴流で洗濯作用が行われる。噴出した洗濯液は洗濯兼脱水槽１の底部の排出口９を通って再び送水手段１０に戻り洗濯液の循環動作を行う。洗濯が終了すると給排水切替弁１７は送水手段１０からの洗濯液を排水開口１９側に切替える。洗剤を含んだ洗濯兼脱水槽１内の洗濯液は送水手段１０と給排水切替弁１７を通って排水開口１９より本体１２外に排出される。すすぎ行程も洗濯行程同様に給水、洗濯兼脱水槽１内の水の循環をなさしめ、衣類に含んだ洗剤を除去させるが、洗濯行程との違いは洗剤が投入されないだけであり、水の動きは洗濯行程と同様である。すすぎ行程が終了時には、排水開口１９からすすぎ作業に使用した水を本体１２外に排出せしめる。
【００２９】
次に、脱水行程では、まず内蓋４Ａの絞り構造の開閉部１１を閉じ、洗濯物６に密着するまで下降させると、洗濯物６は前記内蓋４Ａと脱水面７との間に押し圧されて保持される。次に給排水切替弁１７は送水通路２０、給水通路２３と排水開口１９への通路を遮断し、切替弁１８は吸引可能に開き吸引手段５が切替弁１８側より吸引開始する。吸引した空気は通路２２及び排水開口１９から機外へ排出される。
【００３０】
以上の操作を行うと洗濯兼脱水槽底部２１内は負圧になり脱水面７と通気のない内蓋４Ａとの間の洗濯物６に含まれる水分は周縁の空気と共に脱水面７の脱水開口３を通して吸引排出される。この時内蓋４Ａは通気しないように閉状態になさしめ、他の通水通路も給排水切替弁１７、切替弁１８により通気が遮断されているため、吸引手段５による排気のエネルギーの大半はロス無く洗濯物６周縁の空気と洗濯物６の水分排出に寄与する。
【００３１】
また、大気圧で内蓋４Ａは洗濯物６を押し込む様に働くため洗濯物６の水分除去即ち脱水がより効果的に行われる。これにより、遠心力脱水に代わる脱水が可能となり、洗濯、すすぎも含め洗濯兼脱水槽１の回転や、衣類攪拌用の機能構造が不要な洗濯機を実現できるものである。
【００３２】
（実施の形態２）
図２は、第２の実施の形態における脱水機能を有する洗濯機の要部断面図を示すものである。
【００３３】
図２において、第１の実施の形態と同一構成要件は同一符号を付して詳細な説明は省略する。
【００３４】
内蓋４Ｂは、着脱自在とし、材質を比重の小さい水より軽いものを選定し、更に洗濯物の種々の形状に対し密着可能な柔軟構造としつつ、洗濯兼脱水槽１内を密閉状態で上下移動可能になす。なお内蓋４Ｂの面には通気開口を構成しない。
【００３５】
以上のように構成された脱水機能を有する洗濯機について、以下その動作、作用を説明する。
【００３６】
内蓋４Ｂ以外は実施の形態１と基本構成は同じである。洗濯物６を入れた後、洗濯機使用者が内蓋４Ｂを洗濯兼脱水槽１の中に装着する。洗濯時、すすぎ時は、水より軽いため浮力により水面に浮いた状態となる。脱水時は排水作用で洗濯液や水を無くしているので、自然に内蓋４Ｂは洗濯物６に密着するように下降すると洗濯物６は脱水面７との間に押し圧される。脱水時、吸気手段５で洗濯兼脱水槽１の底部２１より吸気し、内部を負圧にすると内蓋４Ｂは柔軟構造のため洗濯物に対しより密着する。
【００３７】
洗濯物６回りの空気の介在が少ない分洗濯物６に含まれる水分は効果的に脱水面７の脱水開口３から吸引除去されることで脱水作用の効率が上がる。内蓋４Ｂを着脱するという作業を使用者に求めねばならないが、内蓋４Ｂの構成には複雑な構造部分が無いため、シンプルで信頼性の高い洗濯機を、極めて安価に実現できるものである。
【００３８】
（実施の形態３）
図３は、第３の実施の形態における脱水機能を有する洗濯機の要部断面図を示すものである。
【００３９】
図３において、第１の実施の形態と同一構成要件は同一符号を付して詳細な説明は省略する。
【００４０】
洗濯兼脱水槽１の内部には内蓋を有しない構成で、かつ洗濯兼脱水槽１の底側の洗濯物６を受ける脱水面７Ｃの底面側に軸２５を固着せしめ、軸２５をモータや油圧駆動にてなる昇降手段２４で上下動させることにより、脱水面７Ｃも上下動する構成とした。
【００４１】
前記脱水面７Ｃはまた中央部に脱水開口３Ｃを形成し、その外周部にて洗濯兼脱水槽１内壁を摺接しつつ上下動するもので、洗濯衣類は、上部の扉２を開放して投入され、上記脱水面７Ｃに積載されるので、脱水面７Ｃの上下動とともに、上下動をする。なお、扉２は閉状態の時は、洗濯兼脱水槽１に密閉状態に構成されている。
【００４２】
以上のように構成された脱水機能を有する洗濯機について、以下その動作、作用を説明する。
【００４３】
本実施の形態３は通気性のない内蓋の代わりに扉２の内面を活用するものである。洗濯、すすぎは、図１の実施の形態と同様であり説明を省略する。脱水行程で脱水面７Ｃは軸２５の昇降手段２４の駆動により上方向に洗濯物６が扉２の内面に密着するまで上昇する。その後吸引手段５で洗濯兼脱水槽底部２１の空気が吸引されると、洗濯兼脱水槽１内部は負圧となり洗濯物６の水分は脱水開口３Ｃより吸引脱水される。その他は第１の実施の形態と同様であり説明を省略する。
【００４４】
（実施の形態４）
図４は、第４の実施の形態における脱水機能を有する洗濯機の要部断面図を示すものである。
【００４５】
図４において、第１の実施の形態と同一構成要件は同一符号を付して詳細な説明は省略する。
【００４６】
この実施の形態４は、扉を洗濯機前面に配して、使い勝手の良い操作性を提供可能とする、いわゆるドラム式洗濯機タイプに展開するものである。
【００４７】
洗濯兼脱水槽１Ｄの扉２Ｄの反対側には洗濯物６を受ける脱水面７Ｄを支持する軸２７を設け、その軸２７には駆動モータ２６を連動させて脱水面７Ｄを回転可能とし、回転軸を略水平または傾斜方向に構成し、脱水時に脱水面７Ｄとの摩擦により洗濯物の回転移動を可能とさせる。洗濯兼脱水槽１Ｄの排出口９Ｄの位置は、洗濯兼脱水槽１Ｄの最下低部に配設し、底面に溜まる洗濯水の下部に位置させている。。それ以外の構成は洗濯兼脱水槽１Ｄが傾斜支持されたのみで、機構構成、各部品の機能は図１と同じでありそれらの説明は省略する。また、洗濯兼脱水槽１Ｄの斜め構成に伴う他の部分の多少の形状変更も説明省略した。
【００４８】
以上のように構成された脱水機能を有する洗濯機について、以下その動作、作用を説明する。
【００４９】
扉２Ｄが使用者にとって手前側に位置し、且つ洗濯兼脱水槽１Ｄも略水平または傾斜して配されているので洗濯物６を容易に出し入れできる。また、駆動モータ２６により脱水面７Ｄを回転させた際、洗濯物６は脱水面７Ｄと接するので、摩擦力により回転運動をし、洗濯物６の水分が付着した側が脱水開口３Ｄに触れる機会が増えるので脱水効率の向上が図れる。その他は第１の実施の形態と同様であり説明を省略する。
【００５０】
（実施の形態５）
図５は、第５の実施の形態における脱水機能を有する洗濯機の要部断面図を示すものである。
【００５１】
図５において、第１の実施の形態と同一構成要件は同一符号を付して詳細な説明は省略する。
【００５２】
本実施の形態５は、洗濯兼脱水槽１Ｅの外方にヒータ２９による乾燥機能を追加したもので、吸引手段５Ｅは熱風の送風も兼ね合わせるものである。駆動モータ２６は軸２７Ｅで脱水面７Ｅを回転駆動させるものであり、脱水時のその機能は、第４の実施の形態と同様であり説明は省略する。
【００５３】
乾燥機能に関連する構成は、内部に構成された小型モータ等（図示せず）を正逆回転させることにより吸引と送風が可能な吸引手段５Ｅを構成し、上記吸引手段５Ｅを逆回転させて、脱水での吸引の通風路を乾燥時の熱風の送風路とするものである。吸引手段５Ｅを脱水時と逆の駆動運転させると、乾燥風は脱水時と逆方向の送風がなされ通風路３１と切替弁１８を通って脱水面７Ｅの脱水開口３Ｅ下方から通過し洗濯物６内部を通過して、洗濯兼脱水槽１Ｅの側壁の開口３３から通気通路３０を経て吸気手段５Ｅに戻り、再度通風路３１へ送風されるという循環送風回路を構成する。
【００５４】
脱水時に吸引手段５Ｅから吸引された空気を排気するための通気通路２２Ｅは、乾燥行程では通気を遮断することが求められるので、上記通気通路２２に遮断切替弁２８を構成して通気の遮断を行う。乾燥時は熱風を衣類に送風する必要があり、循環風を過熱するために、通風路３１にはヒータ２９を構成する。なお、乾燥運転時は内蓋４Ａの上下位置は、洗濯兼脱水槽１Ｅ側壁の開口３３より上方の断面点線で図示した位置にある。
【００５５】
以上のように構成された乾燥機能を付加した脱水機能を有する洗濯機について、以下その動作、作用を説明する。
【００５６】
乾燥行程の通風路は、上述の様に熱風を循環し、洗濯物６に熱風を脱水面７Ｅ下方より通過せしめ洗濯物６の水分を蒸発させて、湿気を含んだ熱風から除湿手段（説明は省略）で除湿し洗濯物６を乾燥させる。洗濯兼脱水槽１Ｅの底部に注水された水には、湿った熱風がに触れると、熱交換作用が働くため除湿が可能となる。さらに、この乾燥行程では、駆動モータ２６により脱水面７Ｅを回転させるて洗濯物６への熱風の当り方や通過の仕方を変えることにより効果的な乾燥が可能となる。
【００５７】
通気通路３０は吸引手段５Ｅと洗濯兼脱水槽１Ｅとの乾燥の通風路として構成したが、脱水時には、この通気通路３０は脱水行程で吸引手段５Ｅの排気通路としても作用することになる。この構成によれば脱水行程では、吸引手段５Ｅにより通気通路３０を通して送風され、洗濯兼脱水槽１Ｅ内上方の気圧が上昇し、内蓋４Ａが洗濯物６に加える圧力をより高めるため脱水能率が更に向上する効果が得られる。
【００５８】
以上のように本発明には乾燥機能の付加が容易に展開できるとともに、内蓋の押圧力を高めて脱水力をより高めることが可能となる。
【産業上の利用可能性】
【００５９】
以上のように、本発明にかかる洗濯機は、吸引脱水に於いて洗濯物の上に追加した通気性のない内蓋等によって、洗濯物を通過する脱水以外の通気部分が減少するので排気エネルギーが効果的に作用し、洗濯物の脱水効果を上げることが可能であり、洗濯、すすぎ以外の乾燥機能等の含む洗濯機はもちろん、今まで脱水を遠心力脱水に頼っていたその他機器においてもこの技術を適用することができる。
【図面の簡単な説明】
【００６０】
【図１】本発明の実施の形態１における脱水機能を有する洗濯機の要部断面図
【図２】本発明の実施の形態２における脱水機能を有する洗濯機の要部断面図
【図３】本発明の実施の形態３における脱水機能を有する洗濯機の要部断面図
【図４】本発明の実施の形態４における脱水機能を有する洗濯機の要部断面図
【図５】本発明の実施の形態５における脱水機能を有する洗濯機の要部断面図
【図６】従来の吸引脱水による脱水機能を有する洗濯機の要部断面図
【符号の説明】
【００６１】
１  洗濯兼脱水槽
２  扉
３  脱水開口
４Ａ  内蓋
５  吸引手段
６  洗濯物
１１  （絞り構造の）開閉部
【図１】
2007000387.tif 000003
【図２】
2007000387.tif 000004
【図３】
2007000387.tif 000005
【図４】
2007000387.tif 000006
【図５】
2007000387.tif 000007
【図６】
2007000387.tif 000008